(57)【要約】【課題】複眼デジタルカメラでいわゆる縦撮りする場合、記録媒体の記録容量を無駄に消費するのを防止する。【解決手段】複数の撮像手段を備えた複眼デジタルカメラにおいて、縦撮りか否かを検出する検出手段と、前記複数の撮像手段のうちの一部又は全部の撮像手段から得られる画像を記録媒体に記録する記録手段と、撮影を指示するシャッタボタンと、前記検出手段により縦撮りが検出され、かつ、前記シャッタボタンにより撮影が指示された場合、前記複数の撮像手段のうちの一部の撮像手段から得られる画像を記録媒体に記録するように前記記録手段を制御する制御手段と、を備えることを特徴とする複眼デジタルカメラ。【選択図】  図１
2011142661.tif 000002
【特許請求の範囲】
【請求項１】
複数の撮像手段を備えた複眼デジタルカメラにおいて、
縦撮りか否かを検出する検出手段と、
前記複数の撮像手段のうちの一部又は全部の撮像手段から得られる画像を記録媒体に記録する記録手段と、
撮影を指示するシャッタボタンと、
前記検出手段により縦撮りが検出され、かつ、前記シャッタボタンにより撮影が指示された場合、前記複数の撮像手段のうちの一部の撮像手段から得られる画像を記録媒体に記録するように前記記録手段を制御する制御手段と、
を備えることを特徴とする複眼デジタルカメラ。
【請求項２】
前記一部の撮像手段を識別するための表示を表示する表示手段をさらに備えることを特徴とする請求項１に記載の複眼デジタルカメラ。
【請求項３】
前記制御手段は、前記検出手段により縦撮りが検出された場合、前記複数の撮像手段のうちの一部の撮像手段のみを動作させるように制御し、さらに、前記シャッタボタンにより撮影が指示された場合、該一部の撮像手段から得られる画像を記録媒体に記録するように前記記録手段を制御することを特徴とする請求項１に記載の複眼デジタルカメラ。
【請求項４】
前記制御手段は、前記複数の撮像手段のうちの全部の撮像手段を動作させるように制御し、さらに、前記検出手段により縦撮りが検出され、かつ、前記シャッタボタンにより撮影が指示された場合、前記複数の撮像手段のうちの一部の撮像手段から得られる画像を記録媒体に記録するように前記記録手段を制御することを特徴とする請求項１に記載の複眼デジタルカメラ。
【請求項５】
前記複数の撮像手段のうちの縦撮りに使用する撮像手段を利用者に選択させる選択手段をさらに備え、
前記制御手段は、前記検出手段により縦撮りが検出され、かつ、前記シャッタボタンにより撮影が指示された場合、前記複数の撮像手段のうちの前記選択手段により選択された撮像手段から得られる画像を記録媒体に記録するように前記記録手段を制御することを特徴とする請求項１に記載の複眼デジタルカメラ。
【請求項６】
前記複数の撮像手段のうちの縦撮りに使用する撮像手段を自動的に選択する選択手段をさらに備え、
前記制御手段は、前記検出手段により縦撮りが検出され、かつ、前記シャッタボタンにより撮影が指示された場合、前記複数の撮像手段のうちの前記選択手段により選択された撮像手段から得られる画像を記録媒体に記録するように前記記録手段を制御することを特徴とする請求項１に記載の複眼デジタルカメラ。
【請求項７】
前記選択手段は、撮影高さ検出手段、記憶手段、読出手段を含み、
前記撮影高さ検出手段は、基準面からの撮影高さを検出し、
前記記憶手段は、撮影高さと該撮影高さが前記撮影高さ検出手段により検出された場合に選択される撮像手段を識別する識別子との対応関係を格納し、
前記読み出し手段は、前記検出手段により検出された撮影高さに対応する撮像手段を識別する識別子を前記記憶手段から読み出し、
前記制御手段は、前記検出手段により縦撮りが検出され、かつ、前記シャッタボタンにより撮影が指示された場合、前記複数の撮像手段のうちの前記読出手段により読み出された識別子により識別される撮像手段から得られる画像を記録媒体に記録するように前記記録手段を制御することを特徴とする請求項６に記載の複眼デジタルカメラ。
【請求項８】
３Ｄ用測距回路をさらに備え、
前記検出手段により縦撮りが検出された場合、前記３Ｄ測距回路への電源供給を停止することを特徴とする請求項１に記載の複眼デジタルカメラ。
【請求項９】
前記検出手段により縦撮りが検出された場合、測距データを記録しないように制御することを特徴とする請求項１に記載の複眼デジタルカメラ。
【請求項１０】
前記制御手段は、前記検出手段により縦撮りが検出され、かつ、前記シャッタボタンにより撮影が指示された場合、前記複数の撮像手段のうちの一部の撮像手段から得られる画像を、該画像が縦撮りであることを表すフラグとともに記録媒体に記録するように前記記録手段を制御することを特徴とする請求項１に記載の複眼デジタルカメラ。
【請求項１１】
前記制御手段は、前記検出手段により縦撮りが検出され、かつ、前記シャッタボタンにより撮影が指示された場合、前記複数の撮像手段のうちの一部の撮像手段から得られる画像を、該画像を撮像した撮像手段を識別するための識別子ととともに記録媒体に記録するように前記記録手段を制御することを特徴とする請求項１に記載の複眼デジタルカメラ。
【請求項１２】
前記制御手段は、前記検出手段により縦撮りが検出され、かつ、前記シャッタボタンにより撮影が指示された場合、前記複数の撮像手段のうちの一部の撮像手段から得られる画像を、縦撮り専用フォルダに記録するように前記記録手段を制御することを特徴とする請求項１に記載の複眼デジタルカメラ。
【請求項１３】
請求項１０に記載の複眼デジタルカメラにより前記複数の撮像手段のうちの一部の撮像手段から得られた画像の再生を指示する再生画像指示手段と、
前記再生画像指示手段により再生指示された画像とともに記録された前記フラグに基づいて、該再生指示された画像が縦撮りされた画像か否かを判定する判定手段と、
前記判定手段により前記再生指示された画像が縦撮りされた画像であると判定された場合、該再生指示された画像を２Ｄ画像として視認されるように表示する表示手段と、
を備えることを特徴とする画像再生装置。
【請求項１４】
縦撮り画像再生モードを指示する指示手段と、
前記指示手段により縦撮り画像再生モードが指示された場合、請求項１２に記載の複眼デジタルカメラにより前記縦撮り専用フォルダに記録された画像のうちの少なくとも一つの画像の再生を指示する再生画像指示手段と、
前記再生画像指示手段により再生指示された画像を２Ｄ画像として視認されるように表示する表示手段と、
を備えることを特徴とする画像再生装置。
【請求項１５】
複数の撮像手段を備えた複眼デジタルカメラにより縦撮りされた画像を記録する方法において、
前記複眼デジタルカメラが縦撮りか否かを検出するステップ、
前記基準面からの撮影高さを検出するステップ、
前記検出された撮影高さに対応する撮像手段を選択するステップ、
前記複眼デジタルカメラの縦撮りが検出され、かつ、シャッタボタンにより撮影が指示された場合、前記複数の撮像手段のうちの前記選択された撮像手段のみを動作させるステップ、
前記動作させた撮像手段から得られる画像を、該画像が縦撮りであることを表すフラグとともに縦撮り専用フォルダに記録するステップ、
とを備えることを特徴とする複眼デジタルカメラによる縦撮り画像記録方法。
【請求項１６】
複数の撮像手段を備えた複眼デジタルカメラにより縦撮りされた画像を再生する方法において、
縦撮り画像再生モードを指示するステップ、
前記指示手段により縦撮り画像再生モードが指示された場合、請求項１２に記載の縦撮り専用フォルダに記録された画像のうちの少なくとも一つの画像の再生を指示するステップ、
前記再生指示された画像を２Ｄ画像として視認されるように表示するステップ、
を備えることを特徴とする複眼デジタルカメラによる縦撮り画像再生方法。
【発明の詳細な説明】
【技術分野】
【０００１】
本発明は、デジタルカメラに係り、特に、複眼のデジタルカメラに関する。
【背景技術】
【０００２】
従来、複数の撮像系を備えたデジタルカメラ（以下複眼デジタルカメラともいう）が知られている（例えば特許文献１参照）。このような複数の撮像系を備えたデジタルカメラでは、複数の撮像系から視差を持った一組の画像を得て、これを例えばかまぼこ状のレンズ群を有したいわゆるレンチキュラレンズが前面に配置された液晶パネル等の表示装置に表示する。一組の画像がいわゆる横撮りされた画像であると、人間の目と同様の視差を得られるので、利用者はその表示された画像を立体画像として視認することになる。
【０００３】
その他、本願に関連すると思われるものとして、特許文献２から４がある。
【先行技術文献】
【特許文献】
【０００４】
【特許文献１】特開平１０−２２４８２０号公報
【特許文献２】特開平６−１４８７６４号公報
【特許文献３】特開２００４−３５６９９７号公報
【特許文献４】特開２００６−１２８８９９号公報
【発明の概要】
【発明が解決しようとする課題】
【０００５】
しかしながら、一組の画像が複眼デジタルカメラを９０度回転させていわゆる縦撮りされた画像であると、視差の方向が鉛直方向となるため、利用者はその表示された画像を立体画像として視認するのが困難となる。この場合、複数の撮像系それぞれから得られる画像を記録することとすると、立体画像として視認するのが困難であるにもかかわらず、一組の画像を記録することになり、記録媒体の記録容量を無駄に消費することになるという問題がある。
【０００６】
本発明は、このような事情に鑑みてなされたものであり、複眼デジタルカメラでいわゆる縦撮りする場合、記録媒体の記録容量を無駄に消費するのを防止することを目的とする。
【課題を解決するための手段】
【０００７】
本発明は上記課題を解決するためになされたものであり、請求項１に記載の発明は、複数の撮像手段を備えた複眼デジタルカメラにおいて、縦撮りか否かを検出する検出手段と、前記複数の撮像手段のうちの一部又は全部の撮像手段から得られる画像を記録媒体に記録する記録手段と、撮影を指示するシャッタボタンと、前記検出手段により縦撮りが検出され、かつ、前記シャッタボタンにより撮影が指示された場合、前記複数の撮像手段のうちの一部の撮像手段から得られる画像を記録媒体に記録するように前記記録手段を制御する制御手段と、を備えることを特徴とする。
【０００８】
請求項１に記載の発明によれば、縦撮りが検出され、かつ、シャッタボタンにより撮影が指示された場合には、複数の撮像手段のうちの一部の撮像手段のみから得られる画像を記録媒体に記録することになる。すなわち、複眼デジタルカメラで縦撮りする場合には、複数の撮像手段それぞれから得られる画像を記録しない。
【０００９】
これにより、複眼デジタルカメラで縦撮りする場合、記録媒体の記録容量を無駄に消費するのを防止することが可能となる。
【００１０】
請求項２に記載の発明は、請求項１に記載の発明において、前記一部の撮像手段を識別するための表示を表示する表示手段をさらに備えることを特徴とする。
【００１１】
請求項２に記載の発明によれば、一部の撮像手段を識別するための表示が表示されるので、利用者は、この表示を視認することで、現在どの撮像手段が駆動しているのか、又は、どの撮像手段により撮影が行われるのかを把握することが可能となる。
【００１２】
請求項３に記載の発明は、請求項１に記載の発明において、前記制御手段は、前記検出手段により縦撮りが検出された場合、前記複数の撮像手段のうちの一部の撮像手段のみを動作させるように制御し、さらに、前記シャッタボタンにより撮影が指示された場合、該一部の撮像手段から得られる画像を記録媒体に記録するように前記記録手段を制御することを特徴とする。
【００１３】
請求項３に記載の発明によれば、縦撮りが検出された場合、複数の撮像手段のうちの一部の撮像手段のみを動作させるように制御する。さらに、シャッタボタンにより撮影が指示された場合、該一部の撮像手段から得られる画像を記録媒体に記録することになる。すなわち、複眼デジタルカメラで縦撮りする場合には、複数の撮像手段それぞれを動作させない。
【００１４】
これにより、複眼デジタルカメラで縦撮りする場合、省電力を実現することが可能となる。
【００１５】
請求項４に記載の発明は、請求項１に記載の発明において、前記制御手段は、前記複数の撮像手段のうちの全部の撮像手段を動作させ、さらに、前記検出手段により縦撮りが検出され、かつ、前記シャッタボタンにより撮影が指示された場合、前記複数の撮像手段のうちの一部の撮像手段から得られる画像を記録媒体に記録するように前記記録手段を制御することを特徴とする。
【００１６】
請求項４に記載の発明によれば、予め複数の撮像手段のうちの全部の撮像手段を動作させておく。さらに、縦撮りが検出され、かつ、シャッタボタンにより撮影が指示された場合、複数の撮像手段のうちの一部の撮像手段から得られる画像を記録媒体に記録することになる。すなわち、複眼デジタルカメラで縦撮りする場合には、複数の撮像手段それぞれから得られる画像を記録しない。
【００１７】
これにより、複眼デジタルカメラで縦撮りする場合、記録媒体の記録容量を無駄に消費するのを防止することが可能となる。
【００１８】
請求項５に記載の発明は、請求項１に記載の発明において、前記複数の撮像手段のうちの縦撮りに使用する撮像手段を利用者に選択させる選択手段をさらに備え、前記制御手段は、前記検出手段により縦撮りが検出され、かつ、前記シャッタボタンにより撮影が指示された場合、前記複数の撮像手段のうちの前記選択手段により選択された撮像手段から得られる画像を記録媒体に記録するように前記記録手段を制御することを特徴とする。
【００１９】
請求項５に記載の発明によれば、複数の撮像手段のうちの選択手段により利用者により手動選択された撮像手段のみから得られる画像を記録媒体に記録することになる。すなわち、複眼デジタルカメラで縦撮りする場合には、複数の撮像手段それぞれから得られる画像を記録しない。
【００２０】
これにより、複眼デジタルカメラで縦撮りする場合、記録媒体の記録容量を無駄に消費するのを防止することが可能となる。
【００２１】
請求項６に記載の発明は、請求項１に記載の発明において、前記複数の撮像手段のうちの縦撮りに使用する撮像手段を自動的に選択する選択手段をさらに備え、前記制御手段は、前記検出手段により縦撮りが検出され、かつ、前記シャッタボタンにより撮影が指示された場合、前記複数の撮像手段のうちの前記選択手段により選択された撮像手段から得られる画像を記録媒体に記録するように前記記録手段を制御することを特徴とする。
【００２２】
請求項６に記載の発明によれば、複数の撮像手段のうちの選択手段により自動的に選択された撮像手段のみから得られる画像を記録媒体に記録することになる。すなわち、複眼デジタルカメラで縦撮りする場合には、複数の撮像手段それぞれから得られる画像を記録しない。
【００２３】
これにより、複眼デジタルカメラで縦撮りする場合、記録媒体の記録容量を無駄に消費するのを防止することが可能となる。
【００２４】
請求項７に記載の発明は、請求項６に記載の発明において、前記選択手段は、撮影高さ検出手段、記憶手段、読出手段を含み、前記撮影高さ検出手段は、基準面からの撮影高さを検出し、前記記憶手段は、撮影高さと該撮影高さが前記撮影高さ検出手段により検出された場合に選択される撮像手段を識別する識別子との対応関係を格納し、前記読み出し手段は、前記検出手段により検出された撮影高さに対応する撮像手段を識別する識別子を前記記憶手段から読み出し、前記制御手段は、前記検出手段により縦撮りが検出され、かつ、前記シャッタボタンにより撮影が指示された場合、前記複数の撮像手段のうちの前記読出手段により読み出された識別子により識別される撮像手段から得られる画像を記録媒体に記録するように前記記録手段を制御することを特徴とする。
【００２５】
請求項７に記載の発明によれば、縦撮りが検出され、かつ、シャッタボタンにより撮影が指示された場合、複数の撮像手段のうちの読出手段により読み出された識別子（この識別子は、撮影高さに対応する撮像手段を識別するための識別子である）により識別される撮像手段から得られる画像を記録媒体に記録することになる。すなわち、複眼デジタルカメラで縦撮りする場合には、複数の撮像手段それぞれから得られる画像を記録しない。
【００２６】
これにより、複眼デジタルカメラで縦撮りする場合、記録媒体の容量を無駄に消費するのを防止することが可能となる。しかも、撮影高さに対応した撮像手段のみで縦撮りすることになるので、低いアングルで撮影したいときは、より低いアングルで撮影できるなど、最適アングルで撮影することが可能となる。
【００２７】
請求項８に記載の発明は、請求項１に記載の発明において、３Ｄ用測距回路をさらに備え、前記検出手段により縦撮りが検出された場合、前記３Ｄ測距回路への電源供給を停止することを特徴とする。
【００２８】
請求項８に記載の発明によれば、縦撮りが検出された場合、３Ｄ測距回路への電源供給を停止するので、省電力を実現できる。
【００２９】
請求項９に記載の発明は、請求項１に記載の発明において、前記検出手段により縦撮りが検出された場合、測距データを記録しないように制御することを特徴とする。
【００３０】
請求項９に記載の発明によれば、縦撮りが検出された場合、測距データを記録しないので、記録媒体の記録容量の無駄な消費を防止できる。
【００３１】
請求項１０に記載の発明は、請求項１に記載の発明において、前記制御手段は、前記検出手段により縦撮りが検出され、かつ、前記シャッタボタンにより撮影が指示された場合、前記複数の撮像手段のうちの一部の撮像手段から得られる画像を、該画像が縦撮りであることを表すフラグとともに記録媒体に記録するように前記記録手段を制御することを特徴とする。
【００３２】
請求項１０に記載の発明によれば、複数の撮像手段のうちの一部の撮像手段から得られる画像とともに記録されたフラグを参照することで画像が縦撮りであるか横撮りであるかを区別することが可能となる。また、画像再生等の場合にフラグを参照することで、２Ｄ／３Ｄの切り替えや、縦横変換要否判定を容易に行うことが可能となる。
【００３３】
請求項１１に記載の発明は、請求項１に記載の発明において、前記制御手段は、前記検出手段により縦撮りが検出され、かつ、前記シャッタボタンにより撮影が指示された場合、前記複数の撮像手段のうちの一部の撮像手段から得られる画像を、該画像を撮像した撮像手段を識別するための識別子ととともに記録媒体に記録するように前記記録手段を制御することを特徴とする。
【００３４】
請求項１１に記載の発明によれば、複数の撮像手段のうちの一部の撮像手段から得られる画像とともに記録されたフラグを参照することでどの撮像手段で撮影した画像であるかを識別することが可能となる。
【００３５】
請求項１２に記載の発明は、請求項１に記載の発明において、前記制御手段は、前記検出手段により縦撮りが検出され、かつ、前記シャッタボタンにより撮影が指示された場合、前記複数の撮像手段のうちの一部の撮像手段から得られる画像を、縦撮り専用フォルダに記録するように前記記録手段を制御することを特徴とする。
【００３６】
請求項１２に記載の発明によれば、複数の撮像手段のうちの一部の撮像手段から得られる画像を、縦撮り専用フォルダに記録することになる。
【００３７】
これにより、再生等しようとする画像が縦撮りであるか横撮りであるかをフォルダで区別することが可能となる。また、画像再生等の場合に、２Ｄ／３Ｄの切り替えや、縦横変換要否判定を容易に行うことが可能となる。
【００３８】
請求項１３に記載の発明は、請求項１０に記載の複眼デジタルカメラにより前記複数の撮像手段のうちの一部の撮像手段から得られた画像の再生を指示する再生画像指示手段と、前記再生画像指示手段により再生指示された画像とともに記録された前記フラグに基づいて、該再生指示された画像が縦撮りされた画像か否かを判定する判定手段と、前記判定手段により前記再生指示された画像が縦撮りされた画像であると判定された場合、該再生指示された画像を２Ｄ画像として視認されるように表示する表示手段と、を備えることを特徴とする。
【００３９】
請求項１３に記載の発明によれば、再生指示された画像とともに記録されたフラグに基づいて、該再生指示された画像が縦撮りされた画像か否かを判定し、縦撮りされた画像であると判定された場合には、該再生指示された画像を２Ｄ画像として視認されるように表示することになる。
【００４０】
これにより、縦撮りされた画像が３Ｄ画像として視認されるように表示するのを防止できる。すなわち、縦撮りされた画像については、２Ｄ画像として視認されるように表示することで、違和感なく視認させることが可能となる。
【００４１】
請求項１４に記載の発明は、縦撮り画像再生モードを指示する指示手段と、前記指示手段により縦撮り画像再生モードが指示された場合、請求項１２に記載の複眼デジタルカメラにより前記縦撮り専用フォルダに記録された画像のうちの少なくとも一つの画像の再生を指示する再生画像指示手段と、前記再生画像指示手段により再生指示された画像を２Ｄ画像として視認されるように表示する表示手段と、を備えることを特徴とする。
【００４２】
請求項１４に記載の発明によれば、縦撮り専用フォルダに記録された画像のうち再生指示された画像を２Ｄ画像として視認されるように表示することになる。
【００４３】
これにより、縦撮りされた画像を３Ｄ画像として視認されるように表示するのを防止できる。すなわち、縦撮りされた画像については、２Ｄ画像として視認されるように表示することで、違和感なく視認させることが可能となる。
【００４４】
請求項１５に記載の発明は、複数の撮像手段を備えた複眼デジタルカメラにより縦撮りされた画像を記録する方法において、前記複眼デジタルカメラが縦撮りか否かを検出するステップ、前記基準面からの撮影高さを検出するステップ、前記検出された撮影高さに対応する撮像手段を選択するステップ、前記複眼デジタルカメラの縦撮りが検出され、かつ、シャッタボタンにより撮影が指示された場合、前記複数の撮像手段のうちの前記選択された撮像手段のみを動作させるステップ、前記動作させた撮像手段から得られる画像を、該画像が縦撮りであることを表すフラグとともに縦撮り専用フォルダに記録するステップ、とを備えることを特徴とする。
【００４５】
請求項１５に記載の発明によれば、縦撮りが検出され、かつ、シャッタボタンにより撮影が指示された場合には、複数の撮像手段のうちの一部の撮像手段のみから得られる画像を記録媒体に記録することになる。すなわち、複眼デジタルカメラで縦撮りする場合には、複数の撮像手段それぞれから得られる画像を記録しない。
【００４６】
これにより、複眼デジタルカメラで縦撮りする場合、記録媒体の容量を無駄に消費するのを防止することが可能となる。
【００４７】
請求項１６に記載の発明は、複数の撮像手段を備えた複眼デジタルカメラにより縦撮りされた画像を再生する方法において、縦撮り画像再生モードを指示するステップ、前記指示手段により縦撮り画像再生モードが指示された場合、請求項１２に記載の縦撮り専用フォルダに記録された画像のうちの少なくとも一つの画像の再生を指示するステップ、前記再生指示された画像を２Ｄ画像として視認されるように表示するステップ、を備えることを特徴とする。
【００４８】
請求項１６に記載の発明によれば、縦撮り専用フォルダに記録された画像のうち再生指示された画像を２Ｄ画像として視認されるように表示することになる。
【００４９】
これにより、縦撮りされた画像を３Ｄ画像として視認されるように表示するのを防止できる。すなわち、縦撮りされた画像については、２Ｄ画像として視認されるように表示することで、違和感なく視認させることが可能となる。
【発明の効果】
【００５０】
本発明によれば、複眼デジタルカメラでいわゆる縦撮りする場合、記録媒体の容量を無駄に消費するのを防止することが可能となる。
【図面の簡単な説明】
【００５１】
【図１】本発明の第一実施形態であるデジタルカメラの外観構成を示す正面斜視図である。
【図２】本発明の第一実施形態であるデジタルカメラの外観構成を示す背面斜視図である。
【図３】図１及び図２に示したデジタルカメラ１０の電気的構成を示すブロック図である。
【図４】デジタル信号処理部１４２Ｒ、１４２Ｌの概略構成を示すブロック図である。
【図５】第一実施形態のデジタルカメラ１０の動作（撮影時動作）を説明するためのフローチャートである。
【図６】フォルダの階層構造を説明するための図である。
【図７】縦撮りフォルダに保存されたファイルの構造を説明するための図である。
【図８】３Ｄフォルダに保存されたファイルの構造を説明するための図である。
【図９】第一実施形態のデジタルカメラ１０の動作（再生時動作）を説明するためのフローチャートである。
【図１０】本発明の第二実施形態であるデジタルカメラの電気的構成を示すブロック図である。
【図１１】モニタ２４で立体視表示が可能となる仕組みについて説明するための図である。
【発明を実施するための形態】
【００５２】
以下、本発明の第一実施形態であるデジタルカメラ（撮影装置）について図面を参照しながら説明する。
【００５３】
図１は、本発明の第一実施形態であるデジタルカメラの外観構成を示す正面斜視図である。図２は、本発明の第一実施形態であるデジタルカメラの外観構成を示す背面斜視図である。
【００５４】
本実施形態のデジタルカメラ１０は、複数（図１では二つを例示）の撮像手段（撮像系ともいう）を備えたデジタルカメラ（本発明の複眼デジタルカメラに相当）であって、同一被写体を複数視点（図１では左右二つの視点を例示）から撮影可能となっている。
【００５５】
デジタルカメラ１０のカメラボディ１２は、矩形の箱状に形成されており、その正面には、図１に示すように、一対の撮影レンズ１４Ｒ、１４Ｌ、ストロボ１６等が設けられている。また、カメラボディ１２の上面には、シャッタボタン１８、電源／モードスイッチ２０、モードダイヤル２２等が設けられている。
【００５６】
一方、カメラボディ１２の背面には、図２に示すように、モニタ２４、ズームボタン２６、十字ボタン２８、ＭＥＮＵ／ＯＫボタン３０、ＤＩＳＰボタン３２、ＢＡＣＫボタン３４、マクロボタン３６等が設けられている。
【００５７】
また、図示されていないが、カメラボディ１２の底面には、三脚ネジ穴、開閉自在なバッテリカバー等が設けられており、バッテリカバーの内側には、バッテリを収納するためのバッテリ収納室、メモリカードを装着するためのメモリカードスロット等が設けられている。
【００５８】
左右一対の撮影レンズ１４Ｒ、１４Ｌは、それぞれ沈胴式のズームレンズで構成されており、マクロ撮影機能（近接撮影機能）を有している。この撮影レンズ１４Ｒ、１４Ｌは、それぞれデジタルカメラ１０の電源をＯＮすると、カメラボディ１２から繰り出される。
【００５９】
なお、撮影レンズにおけるズーム機構や沈胴機構、マクロ撮影機構については、公知の技術なので、ここでは、その具体的な構成についての説明は省略する。
【００６０】
ストロボ１６は、キセノン管で構成されており、暗い被写体を撮影する場合や逆光時などに必要に応じて発光される。
【００６１】
シャッタボタン１８は、いわゆる「半押し」と「全押し」とからなる二段ストローク式のスイッチで構成されている。デジタルカメラ１０は、静止画撮影時（例えば、モードダイヤル２２で静止画撮影モード選択時、又はメニューから静止画撮影モード選択時）、このシャッタボタン１８を半押しすると撮影準備処理、すなわち、ＡＥ（Automatic Exposure：自動露出）、ＡＦ（Auto Focus：自動焦点合わせ）、ＡＷＢ（Automatic White Balance：自動ホワイトバランス）の各処理を行い、全押すると、画像の撮影・記録処理を行う。また、動画撮影時（例えば、モードダイヤル２２で動画撮影モード選択時、又はメニューから動画撮影モード選択時）、このシャッタボタン１８を全押すると、動画の撮影を開始し、再度全押しすると、撮影を終了する。なお、設定により、シャッタボタン１８を全押している間、動画の撮影を行い、全押しを解除すると、撮影を終了するようにすることもできる。なお、静止画撮影専用のシャッタボタン及び動画撮影専用のシャッタボタンを設けるようにしてもよい。
【００６２】
電源／モードスイッチ２０は、デジタルカメラ１０の電源スイッチとして機能するとともに、デジタルカメラ１０の再生モードと撮影モードとを切り替える切替手段として機能し、「ＯＦＦ位置」と「再生位置」と「撮影位置」の間をスライド自在に設けられている。デジタルカメラ１０は、この電源／モードスイッチ２０を「再生位置」に位置させると、再生モードに設定され、「撮影位置」に位置させると、撮影モードに設定される。また、「ＯＦＦ位置」に位置させると、電源がＯＦＦされる。
【００６３】
モードダイヤル２２は、撮影モードの設定に用いられる。このモードダイヤル２２は、カメラボディ１２の上面に回転自在に設けられており、図示しないクリック機構によって、「２Ｄ静止画位置」、「２Ｄ動画位置」、「３Ｄ静止画位置」、「３Ｄ動画位置」にセット可能に設けられている。デジタルカメラ１０は、このモードダイヤル２２を「２Ｄ静止画位置」にセットすることにより、２Ｄの静止画を撮影する２Ｄ静止画撮影モードに設定され、２Ｄ／３Ｄモード切替フラグ１６８に、２Ｄモードであることを表すフラグが設定される。また、「２Ｄ動画位置」にセットすることにより、２Ｄの動画を撮影する２Ｄ動画撮影モードに設定され、２Ｄ／３Ｄモード切替フラグ１６８に、２Ｄモードであることを表すフラグが設定される。
【００６４】
また、「３Ｄ静止画位置」にセットすることにより、３Ｄの静止画を撮影する３Ｄ静止画撮影モードに設定され、２Ｄ／３Ｄモード切替フラグ１６８に、３Ｄモードであることを表すフラグが設定される。さらに、「３Ｄ動画位置」にセットすることにより、３Ｄの動画を撮影する３Ｄ動画撮影モードに設定され、２Ｄ／３Ｄモード切替フラグ１６８に、３Ｄモードであることを表すフラグが設定される。後述するＣＰＵ１１０は、この２Ｄ／３Ｄモード切替フラグ１６８を参照して、２Ｄモード又は３Ｄモードのいずれであるかを把握する。
【００６５】
モニタ２４は、かまぼこ状のレンズ群を有したいわゆるレンチキュラレンズが前面に配置されたカラー液晶パネル等の表示装置である。このモニタ２４は、撮影済み画像を表示するための画像表示部として利用されるとともに、各種設定時にＧＵＩとして利用される。また、撮影時には、撮像素子で捉えた画像がスルー表示され、電子ファインダとして利用される。
【００６６】
ここで、モニタ２４で立体視表示が可能となる仕組みについて図面を参照しながら説明する。
【００６７】
図１１は、モニタ２４で立体視表示が可能となる仕組みについて説明するための図である。モニタ２４の前面（観者の視点（左眼ＥL、右眼ＥR）が存在するｚ軸方向）には、レンチキュラレンズ２４ａが配置されている。レンチキュラレンズ２４ａは、複数の円筒状凸レンズを図１１中ｘ軸方向に連ねることで構成される。
【００６８】
モニタ２４に表示される立体視画像の表示領域は、右眼用短冊画像表示領域２４Ｒと左眼用短冊画像表示領域２４Ｌとから構成されている。右眼用短冊画像表示領域２４Ｒ及び左眼用短冊画像表示領域２４Ｌは、それぞれ画面の図１１中ｙ軸方向に細長い短冊形状をしており、図１１中有ｘ軸方向に交互に配置される。
【００６９】
レンチキュラレンズ２４ａの各凸レンズは、観者の所与の観察点を基準として、それぞれ一組の右眼用短冊画像表示領域２４Ｒ及び左眼用短冊画像表示領域２４Ｌを含む短冊集合画像表示領域２４ｃに対応した位置に形成される。
【００７０】
図１１では、観者の右眼ＥRには、レンチキュラレンズ２４ａの光屈折作用により、モニタ２４の右眼用短冊画像表示領域２４Ｒに表示された右眼用短冊画像が入射される。また、観者の左眼ＥLには、レンチキュラレンズ２４ａの光屈折作用により、モニタ２４の左眼用短冊画像表示領域２４Ｌに表示された左眼用短冊画像が入射される。したがって、観者の右眼は右眼用短冊画像のみを、観者の左眼は左眼用短冊画像のみを見ることになり、これら右眼用短冊画像の集合である右眼用画像及び左眼用短冊画像の集合である左眼用画像による左右視差により立体視が可能となる。
【００７１】
ズームボタン２６は、撮影レンズ１４Ｒ、１４Ｌのズーム操作に用いられ、望遠側へのズームを指示するズームテレボタンと、広角側へのズームを指示するズームワイドボタンとで構成されている。
【００７２】
十字ボタン２８は、上下左右４方向に押圧操作可能に設けられており、各方向のボタンには、カメラの設定状態に応じた機能が割り当てられる。たとえば、撮影時には、左ボタンにマクロ機能のＯＮ／ＯＦＦを切り替える機能が割り当てられ、右ボタンにストロボモードを切り替える機能が割り当てられる。また、上ボタンにモニタ２４の明るさを替える機能が割り当てられ、下ボタンにセルフタイマのＯＮ／ＯＦＦを切り替える機能が割り当てられる。また、再生時には、左ボタンにコマ送りの機能が割り当てられ、右ボタンにコマ戻しの機能が割り当てられる。また、上ボタンにモニタ２４の明るさを替える機能が割り当てられ、下ボタンに再生中の画像を削除する機能が割り当てられる。また、各種設定時には、モニタ２４に表示されたカーソルを各ボタンの方向に移動させる機能が割り当てられる。
【００７３】
ＭＥＮＵ／ＯＫボタン３０は、メニュー画面の呼び出し（ＭＥＮＵ機能）に用いられるとともに、選択内容の確定、処理の実行指示等（ＯＫ機能）に用いられ、デジタルカメラ１０の設定状態に応じて割り当てられる機能が切り替えられる。
【００７４】
メニュー画面では、たとえば露出値、色合い、ＩＳＯ感度、記録画素数などの画質調整やセルフタイマの設定、測光方式の切り替え、デジタルズームを使用するか否かなど、デジタルカメラ１０が持つ全ての調整項目の設定が行われる。デジタルカメラ１０は、このメニュー画面で設定された条件に応じて動作する。
【００７５】
ＤＩＳＰボタン３２は、モニタ２４の表示内容の切り替え指示等の入力に用いられ、ＢＡＣＫボタン３４は入力操作のキャンセル等の指示の入力に用いられる。
【００７６】
縦撮り／横撮り切替ボタン３６は、縦撮り又は横撮り（縦撮りモード又は横撮りモード）のいずれで撮影を行うかを指示するためのボタンである。縦撮り／横撮り検出回路１６６は、このボタンの状態により、縦撮り又は横撮りのいずれで撮影を行うかを検出する。
【００７７】
高さ検出部３８は、基準面（例えば、地面）からの距離を検出するための回路である。図１及び図２に示すように、高さ検出部３８は、縦撮りのいずれの姿勢でも高さを検出できるように、カメラボディ１２の両側面に設けられている。
【００７８】
図３は、図１及び図２に示したデジタルカメラ１０の電気的構成を示すブロック図である。
【００７９】
図３に示すように、本実施形態のデジタルカメラ１０は、二つの撮像系それぞれから画像信号を取得できるように構成されており、ＣＰＵ１１０、高さ検出回路３８、操作部（シャッタボタン１８、電源／モードスイッチ２０、モードダイヤル２２、ズームボタン２６、十字ボタン２８、ＭＥＮＵ／ＯＫボタン３０、ＤＩＳＰボタン３２、ＢＡＣＫボタン３４、２Ｄ／３Ｄモード切替ボタン３６等）１１２、ＲＯＭ１１６、フラッシュＲＯＭ１１８、ＳＤＲＡＭ１２０、ＶＲＡＭ１２２、撮影レンズ１４Ｒ、１４Ｌ、ズームレンズ制御部１２４Ｒ、１２４Ｌ、フォーカスレンズ制御部１２６Ｒ、１２６Ｌ、絞り制御部１２８Ｒ、１２８Ｌ、撮像素子１３４Ｒ、１３４Ｌ、タイミングジェネレータ（ＴＧ）１３６Ｒ、１３６Ｌ、アナログ信号処理部１３８Ｒ、１３８Ｌ、Ａ／Ｄ変換器１４０Ｒ、１４０Ｌ、画像入力コントローラ１４１Ｒ、１４１Ｌ、デジタル信号処理部１４２Ｒ、１４２Ｌ、ＡＦ検出部１４４、ＡＥ／ＡＷＢ検出部１４６、３Ｄ画像生成部１５０、圧縮・伸張処理部１５２、メディア制御部１５４、メモリカード１５６、表示制御部１５８、モニタ２４、電源制御部１６０、バッテリ１６２、ストロボ制御部１６４、ストロボ１６等を備えている。
【００８０】
図１中右側の撮像手段Ｒは、主として、撮影レンズ１４Ｒ、ズームレンズ制御部１２４Ｒ、フォーカスレンズ制御部１２６Ｒ、絞り制御部１２８Ｒ、撮像素子１３４Ｒ、タイミングジェネレータ（ＴＧ）１３６Ｒ、アナログ信号処理部１３８Ｒ、Ａ／Ｄ変換器１４０Ｒ、画像入力コントローラ１４１Ｒ、デジタル信号処理部１４２Ｒ等から構成される。
【００８１】
図１中左側の撮像手段Ｌは、主として、撮影レンズ１４Ｌ、ズームレンズ制御部１２４Ｌ、フォーカスレンズ制御部１２６Ｌ、絞り制御部１２８Ｌ、撮像素子１３４Ｌ、タイミングジェネレータ（ＴＧ）１３６Ｌ、アナログ信号処理部１３８Ｌ、Ａ／Ｄ変換器１４０Ｌ、画像入力コントローラ１４１Ｌ、デジタル信号処理部１４２Ｌ等から構成される。
【００８２】
ＣＰＵ１１０は、カメラ全体の動作を統括制御する制御手段として機能し、操作部１１２からの入力に基づき所定の制御プログラムに従って各部を制御する。
【００８３】
バス１１４を介して接続されたＲＯＭ１１６には、このＣＰＵ１１０が実行する制御プログラム及び制御に必要な各種データ（後述するＡＥ／ＡＦの制御周期等）等が格納されており、フラッシュＲＯＭ１１８には、ユーザ設定情報等のデジタルカメラ１０の動作に関する各種設定情報等が格納されている。
【００８４】
ＳＤＲＡＭ１２０は、ＣＰＵ１１０の演算作業用領域として利用されるとともに、画像データの一時記憶領域として利用され、ＶＲＡＭ１２２は、表示用の画像データ専用の一時記憶領域として利用される。
【００８５】
左右一対の撮影レンズ１４Ｒ、１４Ｌは、ズームレンズ１３０ＺＲ、１３０ＺＬ、フォーカスレンズ１３０ＦＲ、１３０ＦＬ、絞り１３２Ｒ、１３２Ｌを含んで構成され、所定の間隔をもってカメラボディ１２に配置されている。
【００８６】
ズームレンズ１３０ＺＲ、１３０ＬＲは、図示しないズームアクチュエータに駆動されて光軸に沿って前後移動する。ＣＰＵ１１０は、ズームレンズ制御部１２４Ｒ、１２４Ｌを介してズームアクチュエータの駆動を制御することにより、ズームレンズの位置を制御し、撮影レンズ１４Ｒ、１４Ｌのズーミングを行う。
【００８７】
フォーカスレンズ１３０ＦＲ、１３０ＦＬは、図示しないフォーカスアクチュエータに駆動されて光軸に沿って前後移動する。ＣＰＵ１１０は、フォーカスレンズ制御部１２６Ｒ、１２６Ｌを介してフォーカスアクチュエータの駆動を制御することにより、フォーカスレンズの位置を制御し、撮影レンズ１４Ｒ、１４Ｌのフォーカシングを行う。
【００８８】
絞り１３２Ｒ、１３２Ｌは、たとえば、アイリス絞りで構成されており、図示しない絞りアクチュエータに駆動されて動作する。ＣＰＵ１１０は、絞り制御部１２８Ｒ、１２８Ｌを介して絞りアクチュエータの駆動を制御することにより、絞り１３２Ｒ、１３２Ｌの開口量（絞り値）を制御し、撮像素子１３４Ｒ、１３４Ｌへの入射光量を制御する。
【００８９】
なお、ＣＰＵ１１０は、この撮影レンズ１４Ｒ、１４Ｌを構成するズームレンズ１３０ＺＲ、１３０ＺＬ、フォーカスレンズ１３０ＦＲ、１３０ＦＬ、絞り１３２Ｒ、１３２Ｌを駆動する際、左右の撮影レンズ１４Ｒ、１４Ｌを同期させて駆動する。すなわち、左右の撮影レンズ１４Ｒ、１４Ｌは、常に同じ焦点距離（ズーム倍率）に設定され、常に同じ被写体にピントが合うように、焦点調節が行われる。また、常に同じ入射光量（絞り値）となるように絞りが調整される。
【００９０】
撮像素子１３４Ｒ、１３４Ｌは、所定のカラーフィルタ配列のカラーＣＣＤで構成されている。ＣＣＤは、その受光面に多数のフォトダイオードが二次元的に配列されている。撮影レンズ１４Ｒ、１４ＬによってＣＣＤの受光面上に結像された被写体の光学像は、このフォトダイオードによって入射光量に応じた信号電荷に変換される。各フォトダイオードに蓄積された信号電荷は、ＣＰＵ１１０の指令に従ってＴＧ１３６Ｒ、１３６Ｌから与えられる駆動パルスに基づいて信号電荷に応じた電圧信号（画像信号）として撮像素子１３４Ｒ、１３４Ｌから順次読み出される。
【００９１】
なお、この撮像素子１３４Ｒ、１３４Ｌには、電子シャッタの機能が備えられており、フォトダイオードへの電荷蓄積時間を制御することにより、露光時間（シャッタ速度）が制御される。
【００９２】
なお、本実施の形態では、撮像素子としてＣＣＤを用いているが、ＣＭＯＳセンサ等の他の構成の撮像素子を用いることもできる。
【００９３】
アナログ信号処理部１３８Ｒ、１３８Ｌは、撮像素子１３４Ｒ、１３４Ｌから出力された画像信号に含まれるリセットノイズ（低周波）を除去するための相関二重サンプリング回路（ＣＤＳ）、画像信号を増幅し、一定レベルの大きさにコントロールするためのＡＧＳ回路を含み、撮像素子１３４Ｒ、１３４Ｌから出力される画像信号を相関二重サンプリング処理するとともに増幅する。
【００９４】
Ａ／Ｄ変換器１４０Ｒ、１４０Ｌは、アナログ信号処理部１３８Ｒ、１３８Ｌから出力されたアナログの画像信号をデジタルの画像信号に変換する。
【００９５】
画像入力コントローラ１４１Ｒ、１４１Ｌは、Ａ／Ｄ変換器１４０Ｒ、１４０Ｌから出力された画像信号を取り込んで、ＳＤＲＡＭ１２０に格納する。
【００９６】
デジタル信号処理部１４２Ｒ、１４２Ｌは、ＣＰＵ１１０からの指令に従いＳＤＲＡＭ１２０に格納された画像信号を取り込み、所定の信号処理を施して輝度信号Ｙと色差信号Ｃｒ、ＣｂとからなるＹＵＶ信号を生成する。
【００９７】
図４は、このデジタル信号処理部１４２Ｒ、１４２Ｌの概略構成を示すブロック図である。
【００９８】
図４に示すように、デジタル信号処理部１４２Ｒ、１４２Ｌは、ホワイトバランスゲイン算出回路１４２ａ、オフセット補正回路１４２ｂ、ゲイン補正回路１４２ｃ、ガンマ補正回路１４２ｄ、ＲＧＢ補間演算部１４２ｅ、ＲＧＢ／ＹＣ変換回路１４２ｆ、ノイズフィルタ１４２ｇ、輪郭補正回路１４２ｈ、色差マトリクス回路１４２ｉ、光源種別判定回路１４２ｊを備えて構成される。
【００９９】
ホワイトバランスゲイン算出回路１４２ａは、ＡＥ／ＡＷＢ検出部１４６で算出された積算値を取り込んでホワイトバランス調整用のゲイン値を算出する。
【０１００】
オフセット補正回路１４２ｂは、画像入力コントローラ１４１Ｒ、１４１Ｌを介して取り込まれたＲ、Ｇ、Ｂの各色の画像信号に対してオフセット処理を行う。
【０１０１】
ゲイン補正回路１４２ｃは、オフセット処理された画像信号を取り込み、ホワイトバランスゲイン算出回路１４２ａで算出されたゲイン値を用いてホワイトバランス調整を行う。
【０１０２】
ガンマ補正回路１４２ｄは、ホワイトバランス調整された画像信号を取り込み、所定のγ値を用いてガンマ補正を行う。
【０１０３】
ＲＧＢ補間演算部１４２ｅは、ガンマ補正されたＲ、Ｇ、Ｂの色信号を補間演算して、各画素位置におけるＲ、Ｇ、Ｂ３色の信号を求める。すなわち、単板式の撮像素子の場合、各画素からは、Ｒ、Ｇ、Ｂのいずれか一色の信号しか出力されないため、出力しない色を周囲の画素の色信号から補完演算により求める。たとえば、Ｒを出力する画素では、この画素位置におけるＧ、Ｂの色信号がどの程度になるかを周りの画素のＧ、Ｂ信号から補間演算により求める。このように、ＲＧＢ補完演算は、単板式の撮像素子に特有のものなので、撮像素子１３４に三板式のものを用いた場合には不要となる。
【０１０４】
ＲＧＢ／ＹＣ変換回路１４２ｆは、ＲＧＢ補間演算後のＲ、Ｇ、Ｂ信号から輝度信号Ｙと色差信号Ｃｒ、Ｃｂを生成する。
【０１０５】
ノイズフィルタ１４２ｇは、ＲＧＢ／ＹＣ変換回路１４２ｆで生成された輝度信号Ｙと色差信号Ｃｒ、Ｃｂに対してノイズ低減処理を施す。
【０１０６】
輪郭補正回路１４２ｈは、ノイズ低減後の輝度信号Ｙに対し、輪郭補正処理を行い、輪郭補正された輝度信号Ｙ’を出力する。
【０１０７】
一方、色差マトリクス回路１４２ｉは、ノイズ低減後の色差信号Ｃｒ、Ｃｂに対し、色差マトリクス（Ｃ−ＭＴＸ）を乗算して色調補正を行う。すなわち、色差マトリクス回路１４２ｉには、光源対応の色差マトリクスが複数種類設けられており、光源種別判定回路１４２ｊが求めた光源種に応じて、使用する色差マトリクスを切り替え、この切り替え後の色差マトリクスを入力された色差信号Ｃｒ、Ｃｂに乗算し、色調補正された色差信号Ｃｒ’、Ｃｂ’を出力する。
【０１０８】
光源種別判定回路１４２ｊは、ＡＥ／ＡＷＢ検出部１４６で算出された積算値を取り込んで光源種を判定し、色差マトリクス回路１４２ｉに色差マトリクス選択信号を出力する。
【０１０９】
なお、本実施の形態のデジタルカメラでは、上記のようにデジタル信号処理部をハードウェア回路で構成しているが、当該ハードウェア回路と同じ機能をソフトウェアにて構成することも可能である。
【０１１０】
ＡＦ検出部１４４は、一方の画像入力コントローラ１４１Ｒから取り込まれたＲ、Ｇ、Ｂの各色の画像信号を取り込み、ＡＦ制御に必要な焦点評価値を算出する。このＡＦ検出部１４４は、Ｇ信号の高周波成分のみを通過させるハイパスフィルタ、絶対値化処理部、画面に設定された所定のフォーカスエリア内の信号を切り出すフォーカスエリア抽出部、及び、フォーカスエリア内の絶対値データを積算する積算部を含み、この積算部で積算されたフォーカスエリア内の絶対値データを焦点評価値としてＣＰＵ１１０に出力する。
【０１１１】
ＣＰＵ１１０は、ＡＦ制御時、このＡＦ検出部１４４から出力される焦点評価値が極大となる位置をサーチし、その位置にフォーカスレンズ１３０ＦＲ、１３０ＦＬを移動させることにより、主要被写体への焦点合わせを行う。すなわち、ＣＰＵ１１０は、ＡＦ制御時、まず、フォーカスレンズ１３０ＦＲ、１３０ＦＬを至近から無限遠まで移動させ、その移動過程で逐次ＡＦ検出部１４４から焦点評価値を取得し、その焦点評価値が極大となる位置を検出する。そして、検出された焦点評価値が極大の位置を合焦位置と判定し、その位置にフォーカスレンズ１３０ＦＲ、１３０ＦＬを移動させる。これにより、フォーカスエリアに位置する被写体（主要被写体）にピントが合わせられる。
【０１１２】
ＡＥ／ＡＷＢ検出部１４６は、一方の画像入力コントローラ１４１Ｒから取り込まれたＲ、Ｇ、Ｂの各色の画像信号を取り込み、ＡＥ制御及びＡＷＢ制御に必要な積算値を算出する。すなわち、このＡＥ／ＡＷＢ検出部１４６は、一画面を複数のエリア（たとえば、８×８＝６４エリア）に分割し、分割されたエリアごとにＲ、Ｇ、Ｂ信号の積算値を算出する。
【０１１３】
ＣＰＵ１１０は、ＡＥ制御時、このＡＥ／ＡＷＢ検出部１４６で算出されたエリアごとのＲ、Ｇ、Ｂ信号の積算値を取得し、被写体の明るさ（測光値）を求めて、適正な露光量を得るための露出設定を行う。すなわち、感度、絞り値、シャッタ速度、ストロボ発光の要否を設定する。
【０１１４】
また、ＣＰＵ１１０は、ＡＷＢ制御時、ＡＥ／ＡＷＢ検出部１４６で算出されたエリアごとのＲ、Ｇ、Ｂ信号の積算値をデジタル信号処理部１４２のホワイトバランスゲイン算出回路１４２ａ及び光源種別判定回路１４２ｊに加える。
【０１１５】
ホワイトバランスゲイン算出回路１４２ａは、このＡＥ／ＡＷＢ検出部１４６で算出された積算値に基づいてホワイトバランス調整用のゲイン値を算出する。
【０１１６】
また、光源種別判定回路１４２ｊは、このＡＥ／ＡＷＢ検出部１４６で算出された積算値に基づいて光源種を検出する。
【０１１７】
圧縮・伸張処理部１５２は、ＣＰＵ１１０からの指令に従い、入力された画像データに所定形式の圧縮処理を施し、圧縮画像データを生成する。また、ＣＰＵ１１０からの指令に従い、入力された圧縮画像データに所定形式の伸張処理を施し、非圧縮の画像データを生成する。なお、本実施の形態のデジタルカメラ１０では、静止画に対しては、ＪＰＥＧ規格に準拠した圧縮処理が施され、動画に対してはＭＰＥＧ２やＭＰＥＧ４、Ｈ．２６４規格に準拠した圧縮処理が施される。
【０１１８】
メディア制御部１５４は、ＣＰＵ１１０からの指令に従い、メモリカード１５６に対してデータの読み／書きを制御する。
【０１１９】
表示制御部１５８は、ＣＰＵ１１０からの指令に従い、モニタ２４への表示を制御する。すなわち、ＣＰＵ１１０からの指令に従い、入力された画像信号をモニタ２４に表示するための映像信号（たとえば、ＮＴＳＣ信号やＰＡＬ信号、ＳＣＡＭ信号）に変換してモニタ２４に出力するとともに、所定の文字、図形情報をモニタ２４に出力する。
【０１２０】
電源制御部１６０は、ＣＰＵ１１０からの指令に従い、バッテリ１６２から各部への電源供給を制御する。
【０１２１】
ストロボ制御部１６４は、ＣＰＵ１１０からの指令に従い、ストロボ１６の発光を制御する。
【０１２２】
高さ検出部３８は、基準面（例えば、地面）からの撮影高さ（距離）を検出するための回路である。
【０１２３】
縦撮り／横撮り検出回路１６６は、縦撮り／横撮り切替ボタン３６の状態により、縦撮りであるか横撮りであるかを検出する。
【０１２４】
２Ｄ／３Ｄモード切替フラグ１６８には、２Ｄモードであること又は３Ｄモードであることを表すフラグが設定される。
【０１２５】
次に、上記構成のデジタルカメラ１０の動作について図面を参照しながら説明する。
【０１２６】
〔撮影時動作〕
図５は、第一実施形態のデジタルカメラ１０の動作（撮影時動作）を説明するためのフローチャートである。
【０１２７】
以下の処理は、主として、ＣＰＵ１１０がＳＤＲＡＭ１２０等に読み込まれた所定プログラムを実行することにより実現される。縦撮り／横撮り切替ボタン３６の操作により縦撮りモード又は横撮りモードのいずれかが設定されている状態の下、シャッタボタン１８の一段目をオンすると（ステップＳ１０：Ｙｅｓ）、縦撮り／横撮り検出回路１６６は、縦撮り／横撮り切替ボタン３６の状態により、縦撮りモードが設定されているか横撮りモードが設定されているかを検出する（ステップＳ１２）。
【０１２８】
縦撮りモードが検出されると（ステップＳ１２：Ｙｅｓ）、２Ｄモードへ切り替えられる（ステップＳ１３）。すなわち、３Ｄモードが解除され、自動的に２Ｄモードへ切り替えられる。そして、２Ｄ／３Ｄモード切替フラグ１６８に２Ｄモードであることを表すフラグが設定される。
【０１２９】
これにより、自動的に適切なモードを設定することが可能となる。また、利用者は、モードの設定を意識することなく、迅速に縦撮りを行うことが可能となる。また、３Ｄモードの解除にも使うことが可能となる。
【０１３０】
次に、基準面（例えば、地面）からの撮影高さ（距離）を検出する（ステップＳ１４）。例えば、高さ検出回路３８は、基準面に対して光や電波を発射し反射して戻ってくるまでの時間を計測し、これにより、撮影高さを検出する。あるいは、利用者が操作部１１２等を操作することにより撮影高さを設定してもよい。
【０１３１】
次に、二つの撮像手段Ｒ、Ｌ（本発明の複数の撮像手段に相当）のうちの駆動する撮像手段（本発明の一部の撮像手段に相当）を決定する（ステップＳ１５）。例えば、撮影高さ（複数距離）と該撮影高さがステップＳ１４で検出された場合に選択される撮影手段Ｒ又はＬを識別する識別子との対応関係をＲＯＭ１１８等に格納しておく。そして、撮影高さが検出された場合（ステップＳ１４）、その検出された撮影高さに対応する撮像手段を識別する識別子をＲＯＭ１１８から読み出し、この識別子により識別される一方の撮像手段Ｒ又はＬを駆動する撮像手段として自動的に決定する。
【０１３２】
これにより、撮影高さに対応した撮像手段Ｒ又はＬで縦撮りすることになるので、低いアングルで撮影したいときは、より低いアングルで撮影できるなど、最適アングルで撮影することが可能となる。
【０１３３】
次に、ステップＳ１５で決定した駆動する撮像手段Ｒ又はＬを識別するための表示を表示する（ステップＳ１６）。例えば、モニタ２４あるいはカメラボディ１２に別途設けた表示器に表示する。利用者は、この表示を視認することで、現在どの撮像手段Ｒ又はＬが駆動しているのか、又は、どの撮像手段Ｒ又はＬにより撮影が行われるのかを把握することが可能となる。
【０１３４】
この表示としては、例えば、撮像手段Ｒ又はＬの識別番号、あるいは、複数の撮像手段Ｒ、Ｌを含む模式図のうち駆動する撮像手段Ｒ又はＬに相当する部分を、点滅表示させたり、異なる色で強調表示することが考えられる。
【０１３５】
次に、ステップＳ１６の表示により識別される撮像手段Ｒ又はＬで良いか否かを決定する（ステップＳ１７）。ステップＳ１６の表示により識別される撮像手段Ｒ又はＬとは別の撮像手段Ｒ又はＬを選択する場合、例えば、操作部１１２の操作により所望の撮像手段Ｒ又はＬを選択し、この選択した撮像手段Ｒ又はＬを、駆動する撮像手段として決定する（ステップＳ１７：Ｎｏ、ステップＳ１８）。
【０１３６】
一方、ステップＳ１６の表示により識別される撮像手段Ｒ又はＬで良ければ（ステップＳ１７：Ｙｅｓ）、ステップＳ１５で決定した撮像手段Ｒ又はＬのみを駆動する（ステップＳ１９）。これにより、消費電力の低減が可能となる。
【０１３７】
次に、図７に示すように、縦撮りフォルダ（図７では縦撮り画像フォルダ）をメモリカード１５６に設定する（ステップＳ２０）。縦撮りフォルダとは、縦撮りモードが設定されている状態で撮影された場合に、その撮影画像を含むファイルを記録（保存）するためのフォルダである。なお、縦撮りフォルダは、予め設定されていない場合に設定されるのであり、予め設定されている場合には、再度設定されない。
【０１３８】
次に、ファイルの初期化を実行する（ステップＳ２１）。
【０１３９】
次に、シャッタボタン１８の二段目をオンする（本発明の撮影指示に相当）と（ステップＳ２２：Ｙｅｓ）、ステップＳ１５で決定した撮像手段Ｒ又はＬのみにより撮影が行われ、その決定した撮像手段Ｒ又はＬのみで撮影した画像（以下縦撮り画像ともいう）を含むファイルが生成される（ステップＳ２３）。この生成されたファイルは、縦撮りフォルダに自動的に振り分けられて記録（保存）されるため、再生等しようとする画像が縦撮りであるか横撮りであるかを（後述の撮影位置欄を参照することなく）フォルダで区別することが可能となる。また、再生等の場合に、２Ｄ／３Ｄの切り替えや、縦横変換要否判定を容易に行うことが可能となる。
【０１４０】
また、この生成されたファイルに含まれる画像は、撮像手段Ｒ及びＬそれぞれから得られる画像を記録するのではなく、撮像手段Ｒ又はＬのみから得られる画像である。このため、記録媒体の記録容量を無駄に消費することがない。
【０１４１】
そして、撮影が終了であれば（ステップＳ２４：Ｙｅｓ）、ヘッダ情報を更新して（ステップＳ２５）処理を終了する。
【０１４２】
図７は、以上のようにして縦撮りフォルダに保存されたファイルの構造を説明するための図である。
【０１４３】
図７は、縦撮りされた画像を含むファイル（図７中画像１〜画像Ｎで示すＮ個のファイル）が縦撮りフォルダに保存されている状態を表している。
【０１４４】
各ファイルは、画像情報タグ、サムネイル（サムネイル画像ともいう）、及び、画像（本画像又は主画像ともいう）で構成される。
【０１４５】
画像情報タグは、本画像に対する付属情報のことであり、ＩＤ番号欄、ファイル名欄、撮影年月日時刻欄、撮影位置欄、２Ｄ／３Ｄ欄、撮影系欄、縦撮り向き欄、及び、撮影高さ欄で構成される。
【０１４６】
ＩＤ番号欄には、ファイルを識別するための識別子が記録される。ファイル名欄には、ファイル名が記録される。撮影年月日時刻欄には、撮影年月日及び撮影時刻が記録される。撮影位置欄には、縦撮り又は横撮りのいずれで撮影したかを識別するための識別子（フラグともいう）が記録される。このような識別子として、例えば、１（＝縦撮りを表す）又は０（＝横撮りを表す）が記録される。この識別子は本画像ごとに記録されるので、こ識別子を参照することで、縦撮り又は横撮りのいずれで撮影した画像であるかを区別することが可能となる。また、画像再生等の場合にフラグを参照することで、２Ｄ／３Ｄの切り替えや、縦横変換要否判定を容易に行うことが可能となる。
【０１４７】
２Ｄ／３Ｄ欄には、２Ｄモード又は３Ｄモードのいずれで撮影したかを識別するための識別子（例えば、２Ｄ／３Ｄモード切替フラグの内容）が記録される。このような識別子として、例えば、１（＝２Ｄモードを表す）又は０（＝３Ｄモードを表す）が記録される。なお、２Ｄモード又は３Ｄモードのいずれで撮影したかを識別するための識別子を含んだファイル名（例えば、ds2d00001.jpg,ds3d0001.jpg）を採用すれば、この２Ｄ／３Ｄ欄を省略することができる。
【０１４８】
撮影系欄には、撮影した撮像手段Ｒ又はＬを識別するための識別子が記録される。この撮影系欄（フラグ）を参照することで、どの撮像手段Ｒ又はＬで撮影した画像であるかを識別することが可能となる。このような識別子として、例えば、１（＝撮像手段Ｒを表す）又は０（＝撮像手段Ｌを表す）が記録される。縦撮り向き欄には、縦撮り向き（例えば、右又は左）を識別するための識別子が記録される。このような識別子として、例えば、１（＝右を表す）又は０（＝左を表す）が記録される。撮影高さ欄には、基準面からの撮影高さが記録される。
【０１４９】
なお、画像情報タグに記録されるのは、これらの項目に限定されない。例えば、Ｅｘｉｆ(Exchangeable image file format)と同様の項目（シャッタースピード、レンズ絞り値、圧縮モード、色空間情報、画素数、メーカ独自情報（メーカーノート）等）を記録するようにしてもよい。
【０１５０】
なお、一つの画像については、画像の属性情報、サムネイル画像、本画像が一つのファイルに記録されていてもよいし、それぞれ分けて記録されていてもよい。３Ｄや多視点画像は、本画像に画像単位で記録される。動画の場合もフィールドやフレーム単位で記録される。動画でＭＰＥＧ圧縮時は、画像単位やＧＯＰ単位でタグ情報が付加されるようにしてもよい。
【０１５１】
一方、撮影が終了でないのであれば（ステップＳ２４：Ｎｏ）、ステップＳ１０に戻って再度、ステップＳ１０以下の処理を繰り返す。
【０１５２】
次に、ステップＳ１２で横撮りモードが検出された場合の動作について説明する。
【０１５３】
横撮りモードが検出されると（ステップＳ１２：Ｎｏ）、３Ｄモードへ切り替えられる（ステップＳ２６）。すなわち、２Ｄモードが解除され、自動的に３Ｄモードへ切り替えられる。そして、２Ｄ／３Ｄモード切替フラグ１６８に３Ｄモードであることを表すフラグが設定される。
【０１５４】
これにより、自動的に適切なモードを設定することが可能となる。また、利用者は、モードの設定を意識することなく、迅速に横撮りを行うことができる。また、２Ｄモードの解除にも使える。
【０１５５】
なお、３Ｄモードでの撮影であることを識別するための表示を表示するようにしてもよい。例えば、モニタ２４あるいはカメラボディ１２に別途設けた表示器に表示する。利用者は、この表示を視認することで、現在どのモードで撮影しているのかを把握することが可能となる。
【０１５６】
次に、全ての撮像手段Ｒ及びＬを駆動する（ステップＳ２７）。この場合、ステップＳ１６と同様、駆動する撮像手段Ｒ及びＬを識別するための表示を表示してもよい。利用者は、この表示を視認することで、現在撮像手段Ｒ及びＬの両方が駆動していること、又は、撮像手段Ｒ及びＬの両方により撮影が行われることを把握することが可能となる。
【０１５７】
次に、図８に示すように、３Ｄフォルダ（図８では横撮り画像用フォルダ配下の３Ｄ用フォルダ）をメモリカード１５６に設定する（ステップＳ２８）。３Ｄフォルダとは、横撮りモードが設定されている状態で撮影された場合に、その撮影画像を含むファイルを記録（保存）するためのフォルダである。なお、３Ｄフォルダは、予め設定されていない場合に設定されるのであり、予め設定されている場合には、再度設定されない。
【０１５８】
次に、ファイルの初期化を実行する（ステップＳ２９）。
【０１５９】
次に、シャッタボタン１８の二段目をオンする（本発明の撮影指示に相当）と、全ての撮像手段Ｒ及びＬにより撮影が行われ、その全ての撮像手段Ｒ、Ｌで撮影した画像（以下横撮り画像ともいう）を含むファイルが生成される（ステップＳ２３）。この生成されたファイルは、３Ｄフォルダに自動的に振り分けられて記録（保存）されるため、再生等しようとする画像が縦撮りであるか横撮りであるかを（後述の撮影位置欄を参照することなく）フォルダで区別することが可能となる。また、再生等の場合に、２Ｄ／３Ｄの切り替えや、縦横変換要否判定を容易に行うことが可能となる。
【０１６０】
そして、撮影が終了であれば（ステップＳ２４：Ｙｅｓ）、ヘッダ情報を更新して（ステップＳ２５）処理を終了する。
【０１６１】
図８は、以上のようにして３Ｄフォルダに保存されたファイルの構造を説明するための図である。
【０１６２】
図８は、横撮りされた画像を含むファイル（図８中画像１〜画像Ｎで示すＮ個のファイル）が３Ｄフォルダに保存されている状態を表している。
【０１６３】
各ファイルは、画像情報タグ、サムネイル（サムネイル画像ともいう）、及び、画像（本画像又は主画像ともいう）で構成される。
【０１６４】
画像情報タグは、本画像に対する付属情報のことであり、ＩＤ番号欄、ファイル名欄、撮影年月日時刻欄、撮影位置欄、２Ｄ／３Ｄ欄、及び、撮影系欄で構成される。
【０１６５】
ＩＤ番号欄には、ファイルを識別するための識別子が記録される。ファイル名欄には、ファイル名が記録される。撮影年月日時刻欄には、撮影年月日及び撮影時刻が記録される。撮影位置欄には、縦撮り又は横撮りのいずれで撮影したかを識別するための識別子（フラグともいう）が記録される。このような識別子として、例えば、１（＝縦撮りを表す）又は０（＝横撮りを表す）が記録される。この識別子は本画像ごとに記録されるので、この識別子を参照することで、縦撮り又は横撮りのいずれで撮影した画像であるかを区別することが可能となる。また、画像再生等の場合にフラグを参照することで、２Ｄ／３Ｄの切り替えや、縦横変換要否判定を容易に行うことが可能となる。
【０１６６】
２Ｄ／３Ｄ欄には、２Ｄモード又は３Ｄモードのいずれで撮影したかを識別するための識別子（例えば、２Ｄ／３Ｄモード切替フラグの内容）が記録される。このような識別子として、例えば、１（＝２Ｄモードを表す）又は０（＝３Ｄモードを表す）が記録される。なお、２Ｄモード又は３Ｄモードのいずれで撮影したかを識別するための識別子を含んだファイル名（例えば、ds2d00001.jpg,ds3d0001.jpg）を採用すれば、２Ｄ／３Ｄ欄を省略することができる。
【０１６７】
撮影系欄には、撮影した撮像手段Ｒ又はＬを識別するための識別子が記録される。この撮影系欄（フラグ）を参照することで、どの撮像手段Ｒ又はＬで撮影した画像であるかを識別することが可能となる。このような識別子として、例えば、１（＝撮像手段Ｒを表す）又は０（＝撮像手段Ｌを表す）が記録される。
【０１６８】
なお、画像情報タグに記録されるのは、これらの項目に限定されない。例えば、Ｅｘｉｆ(Exchangeable image file format)と同様の項目（シャッタースピード、レンズ絞り値、圧縮モード、色空間情報、画素数、メーカ独自情報（メーカーノート）等）を記録するようにしてもよい。
【０１６９】
なお、一つの画像については、画像の属性情報、サムネイル画像、本画像が一つのファイルに記録されていてもよいし、それぞれ分けて記録されていてもよい。３Ｄや多視点画像は、本画像に画像単位で記録される。動画の場合もフィールドやフレーム単位で記録される。動画でＭＰＥＧ圧縮時は、画像単位やＧＯＰ単位でタグ情報が付加されるようにしてもよい。なお、複数視点の画像を記録する場合、画像配列の順番は、主要な視点の画像が先に配置されるようにしてもよい。
【０１７０】
一方、撮影が終了でないのであれば（ステップＳ２４：Ｎｏ）、ステップＳ１０に戻って再度、ステップＳ１０以下の処理を繰り返す。
【０１７１】
以上説明したように、本実施形態のデジタルカメラ１０によれば、縦撮りモードが検出されると（ステップＳ１２：Ｙｅｓ）、二つの撮像手段Ｒ、Ｌ（本発明の複数の撮像手段に相当）のうちの駆動する撮像手段（本発明の一部の撮像手段に相当）を決定し（ステップＳ１５）、その決定した撮像手段Ｒ又はＬのみを駆動する（ステップＳ１９）ことになる。すなわち、複眼デジタルカメラ１０で縦撮りする場合には、二つの撮像手段Ｒ、Ｌそれぞれを動作させない。
【０１７２】
これにより、複眼デジタルカメラ１０で縦撮りする場合、省電力を実現することが可能となる。
【０１７３】
また、本実施形態のデジタルカメラ１０によれば、縦撮りモードが検出されると（ステップＳ１２：Ｙｅｓ）、ステップＳ１５で決定した撮像手段Ｒ又はＬのみにより撮影が行われ、その決定した撮像手段Ｒ又はＬのみで撮影した画像（以下縦撮り画像ともいう）を含むファイルが生成され、記録媒体１５６に記録される。すなわち、複眼デジタルカメラ１０で縦撮りする場合には、二つの撮像手段Ｒ、Ｌそれぞれから得られる画像を記録しない。
【０１７４】
これにより、複眼デジタルカメラ１０で縦撮りする場合、記録媒体１５６の記録容量を無駄に消費するのを防止することが可能となる。また、３Ｄ時画素数内に左右画像を分割して記録する場合等においては、縦撮り画像を高い解像度で表示することができる。
【０１７５】
〔再生時動作〕
図９は、第一実施形態のデジタルカメラ１０の動作（再生時動作）を説明するためのフローチャートである。
【０１７６】
以下の処理は、主として、ＣＰＵ１１０がＳＤＲＡＭ１２０等に読み込まれた所定プログラムを実行することにより実現される。
【０１７７】
操作部１１２の操作により再生の指示が入力され（ステップＳ３０：Ｙｅｓ）、縦撮り／横撮り画像の再生のいずれを行うかが、操作部１１２（２Ｄ／３Ｄ表示切替部）の操作により選択されると（ステップＳ３１）、縦撮りモードが設定されているか否かを検出する（ステップＳ３２）。
【０１７８】
縦撮りモードが設定されていると（ステップＳ３２：Ｙｅｓ）、２Ｄモードへ切り替えられる（ステップＳ３３）。すなわち、２Ｄ／３Ｄモード切替フラグ１６８に２Ｄモードであることを表すフラグが設定される。
【０１７９】
次に、図６に示す縦撮り画像フォルダからファイルを読み出し（ステップＳ３４）、モニタ２４にその読み出したファイル中のサムネイル画像を所定形式で表示する（ステップＳ３５）。図６は、フォルダの階層構造を表している。
【０１８０】
利用者は、操作部１１２を操作して、その表示されたサムネイル画像の中からいずれかのサムネイル画像を選択することになる。このように、縦撮りの場合には、縦撮り専用のフォルダからファイル（画像）を読み出すようにしたので、選択が容易でしかもサムネイル画像や本画像の表示（選択させるための表示）も迅速に行うことが可能となる。また、画像の選別も容易に行うことが可能となる。そして、選択したサムネイル画像で間違いなければ、利用者は、操作部１１２を操作してＯＫの入力を行う（ステップＳ３６：Ｙｅｓ）。
【０１８１】
次に、ステップＳ３５でサムネイル画像が選択されたファイルの画像情報タグ中の２Ｄ／３Ｄ欄を参照して、２Ｄ画像であるか否かを判定する（ステップＳ３７）。この判定の結果、２Ｄ画像であると判定されたなら（ステップＳ３７：Ｙｅｓ）、２Ｄ画像として表示する（ステップＳ３８）。すなわち、２Ｄ／３Ｄモード切替フラグ１６８の内容（２Ｄモードであることを表すフラグが設定されている）に従って、モニタ２４の右眼用短冊画像表示領域２４Ｒ及び左眼用短冊画像表示領域２４Ｌには同一の画像（例えば図７中の画像１）が表示されるように表示制御部１５８等が制御されることになる。この場合、利用者はその表示された画像を立体画像としてではなく、通常の画像として視認することになる。
【０１８２】
これにより、縦撮りされた画像が３Ｄ画像として視認されるように表示するのを防止できる。すなわち、縦撮りされた画像については、２Ｄ画像として視認されるように表示することで、違和感なく視認させることが可能となる。
【０１８３】
一方、２Ｄ画像でないと判定されたなら（ステップＳ３７：Ｎｏ）、画像を表示することなく、ステップＳ３９に移行する。このように、画像を表示する前に、２Ｄ画像であるか否かを判定し、２Ｄ画像でなければ画像を表示しないので、画像情報が誤っている場合に、誤った画像を表示することを防止できる。
【０１８４】
そして、表示が終了であれば（ステップＳ３９：Ｙｅｓ）、処理を終了する。一方、表示が終了でないのであれば（ステップＳ３９：Ｎｏ）、ステップＳ３０に戻って再度、ステップＳ３０以下の処理を繰り返す。
【０１８５】
次に、ステップＳ３２で横撮りモードが検出された場合の動作について説明する。
【０１８６】
横撮りモードが選択されると（ステップＳ３２：Ｎｏ）、３Ｄモードへ切り替えられる（ステップＳ４０）。すなわち、２Ｄ／３Ｄモード切替フラグ１６８に３Ｄモードであることを表すフラグが設定される。
【０１８７】
次に、図６に示す横撮り画像用フォルダからファイルを読み出し（ステップＳ４１）、モニタ２４にその読み出したファイル中のサムネイル画像を所定形式で表示する（ステップＳ４２）。
【０１８８】
利用者は、操作部１１２を操作して表示されたサムネイル画像の中からいずれかのサムネイル画像を選択することになる。そして、選択したサムネイル画像で間違いなければ、利用者は、操作部１１２を操作してＯＫの入力を行う（ステップＳ４２：Ｙｅｓ）。
【０１８９】
次に、ステップＳ４２でサムネイル画像が選択されたファイルの画像情報タグ中の２Ｄ／３Ｄ欄を参照して、３Ｄ画像であるか否かを判定する（ステップＳ４３）。この判定の結果、３Ｄ画像であると判定されたなら（ステップＳ４４：Ｙｅｓ）、３Ｄ画像として表示する（ステップＳ４５）。すなわち、２Ｄ／３Ｄモード切替フラグ１６８の内容（３Ｄモードであることを表すフラグが設定されている）に従って、モニタ２４の右眼用短冊画像表示領域２４Ｒには、右用の画像（例えば図８中の撮影系１画像）が、左眼用短冊画像表示領域２４Ｌには左用の画像（例えば図８中の撮影系２画像）が表示されるように表示制御部１５８等が制御されることになる。この場合、利用者はその表示された画像を立体画像として視認することになる。
【０１９０】
一方、３Ｄ画像でないと判定されたなら（ステップＳ４４：Ｎｏ）、画像を表示することなく、ステップＳ３９に移行する。このように、画像を表示する前に、３Ｄ画像であるか否かを判定し、３Ｄ画像でなければ表示しないので、画像情報が誤っている場合に、誤った画像を表示することを防止できる。
【０１９１】
そして、表示が終了であれば（ステップＳ３９：Ｙｅｓ）、処理を終了する。一方、表示が終了でないのであれば（ステップＳ３９：Ｎｏ）、ステップＳ３０に戻って再度、ステップＳ３０以下の処理を繰り返す。
【０１９２】
（変形例）
次に、本実施形態のデジタルカメラ１０の変形例について説明する。
【０１９３】
本実施形態では、図１に示すように、デジタルカメラ１０が二つの撮像手段Ｒ、Ｌを備えている例について説明したが、本発明はこれに限定されない。
【０１９４】
例えば、デジタルカメラ１０は、三つ以上の撮影手段を備えていてもよい。また、撮影手段を構成する撮影レンズ等は、図１に示すように横一列に配置されていなくてもよい。例えば、三つの撮像手段を備えている場合には、各撮影レンズは、三角形の各頂点に対応する位置に配置してもよい。同様に、四つの撮像手段を備えている場合には、各撮影レンズは、四角形の各頂点に対応する位置に配置してもよい。
【０１９５】
また、本実施形態では、縦撮りモードが検出されると（ステップＳ１２：Ｙｅｓ）、ステップＳ１５で決定した撮像手段Ｒ又はＬのみにより撮影が行われるように説明したが、本発明はこれに限定されない。
【０１９６】
例えば、デジタルカメラ１０が三つの撮像手段を備えている場合には、三つの撮像手段のうち、一部の撮像手段（一つ又は二つの撮像手段）のみにより撮影を行うようにしてもよい。
【０１９７】
また、本実施形態では、縦撮りモードが検出されると（ステップＳ１２：Ｙｅｓ）、二つの撮像手段Ｒ、Ｌ（本発明の複数の撮像手段に相当）のうちの駆動する撮像手段（本発明の一部の撮像手段に相当）を決定し（ステップＳ１５）、その決定した撮像手段Ｒ又はＬのみを駆動し（ステップＳ１９）、その駆動している撮像手段Ｒ又はＬのみにより撮影が行われるように説明したが本発明はこれに限定されない。
【０１９８】
例えば、縦撮りモード検出前（又は検出後）に予め複数の撮像手段のうちの全部を駆動させておく。そして、縦撮りモードが検出されると（ステップＳ１２：Ｙｅｓ）、複数の撮像手段のうちの一部の撮像手段のみで撮影を行うようにしてもよい。これによっても、複眼デジタルカメラで縦撮りする場合、記録媒体の記録容量を無駄に消費するのを防止することが可能となる。
【０１９９】
また、本実施形態では、横撮りモードが検出されると（ステップＳ１２：Ｎｏ）記録される（ステップＳ２３）ファイルには、二つの撮影手段Ｒ、Ｌそれぞれで撮影された画像が含まれるように説明したが、本発明はこれに限定されない。例えば、立体撮影、マルチ視点や全方向の撮影を行い、その撮影の結果得られた画像を含むファイルを記録するようにしてもよい。
【０２００】
また、本実施形態では、デジタルカメラ１０では、縦撮り／横撮り切替ボタン３６により、縦撮りモード又は横撮りモードの設定が可能となっているように説明したが、本発明はこれに限定されない。
【０２０１】
例えば、モードダイヤル２２の回転停止位置（複数位置）とモードとを対応づけてメモリに格納しておき、モードダイヤル２２を手動で操作して所定位置で停止させた場合、前
記メモリを参照し、そのモードダイヤル２２の回転停止位置に応じたモード（縦撮りモード又は横撮りモード）を設定してもよい。あるいは、縦撮りモードと横撮りモードの切替スイッチをカメラボディ１２に設けておき、この切替スイッチを手動で切り替えることでモードを設定してもよい。あるいは、モニタ２４に表示されるメニュー画面等及び操作部１１２を手動で操作して縦撮りモード又は横撮りモードを選択し、この選択したモードを設定してもよい。あるいは、重力を利用したセンサーやホール素子、ＭＥＭＳ（micro electro mechanical systems）等を利用したセンサーにより、デジタルカメラ１０の姿勢（縦撮りの姿勢か横撮りの姿勢か）を検出し、その姿勢に応じたモードを自動で設定してもよい。
【０２０２】
また、本実施形態では、撮影高さ（複数距離）と該撮影高さがステップＳ１４で検出された場合に選択される撮影手段Ｒ又はＬを識別する識別子との対応関係をＲＯＭ１１８等に格納しておく。そして、撮影高さが検出された場合（ステップＳ１４）、その検出された撮影高さに対応する撮像手段を識別する識別子をＲＯＭ１１８から読み出し、この識別子により識別される一方の撮像手段Ｒ又はＬを駆動する撮像手段として自動的に決定するように説明したが、本発明はこれに限定されない。
【０２０３】
例えば、駆動する撮像手段を選択するための選択スイッチをカメラボディ１２に設けておき、この選択スイッチで選択した撮像手段Ｒ又はＬを、駆動する撮像手段として決定してもよい。この場合、利用者が駆動する撮像手段Ｒ又はＬを選択する際の参考となるように、検出された基準面からの距離をモニタ２４等に表示してもよい。
【０２０４】
また、本実施形態では、さらに、３Ｄモードで測距を行うための距離用発光素子及び距離用撮像素子、これらの駆動／制御回路、距離情報処理回路、及び、距離情報記憶回路を設け、ステップＳ１１で縦撮りモードが検出された場合、これら素子又は回路の一部又は全部への電源供給を停止するように制御してもよい。これにより、縦撮り時の消費電力の低減が可能となる。また、ステップＳ１１で縦撮りモードが検出された場合、距離データを保存しないように制御してもよい。これにより、縦撮り時の記録メディアの無駄な消費を防止できる。
【０２０５】
また、本実施形態では、２Ｄ、３Ｄ撮影とも全画素を記録してもよいし、３Ｄ撮影時のみ水平又は垂直に間引いて記録してもよい。視差バリアをＯＮ／ＯＦＦ可能な表示素子では、２Ｄ表示の場合は全画素データを、３Ｄ表示の場合はＲ及びＬの画像データを、水平又は垂直に間引いて表示素子に送るようにすれば、２Ｄの解像度を上げて表示することができる。
【０２０６】
また、本実施形態では、横撮りでかつ３Ｄ撮影時（３Ｄ静止画撮影モード時又は３Ｄ動画撮影モード時）、二つの撮像手段Ｒ及びＬそれぞれから得られた画像データから３Ｄ画像を生成するようにしてもよい。たとえば、３Ｄ静止画撮影モード時は、アナグリフ方式やステレオスコープ方式、平行法、交差法等で観察される立体視用の静止画像を生成し、３Ｄ動画撮影モード時は、時分割方式の３Ｄ動画を生成するようにしてもよい。なお、この種の３Ｄ画像の生成方法については、公知の技術であるので、ここでは、その具体的な生成方法についての説明は省略する。
【０２０７】
また、本実施の形態では、音声記録については、特に言及していないが、音声記録ができるようにすることももちろん可能である。
【０２０８】
次に、本発明の第二実施形態であるデジタルカメラについて図面を参照しながら説明する。
【０２０９】
図１０は、本発明の第二実施形態であるデジタルカメラの電気的構成を示すブロック図である。
【０２１０】
本実施形態のデジタルカメラは、第一実施形態のデジタルカメラ１０と比較して、次の点が相違する。
【０２１１】
第一に、本実施形態のデジタルカメラが、所定操作部１１２の操作により、撮影目的に応じて撮像手段Ｒ、Ｌ（主として撮影レンズ１４Ｒ、１４Ｌ等）間の間隔、及び、撮像手段Ｒ、Ｌ（主として撮影レンズ１４Ｒ、１４Ｌ等）の輻輳角を調整可能に構成されているのに対して、第一実施形態のデジタルカメラは、そのように構成されていない点。
【０２１２】
第二に、本実施形態のデジタルカメラが、間隔／輻輳角駆動回路１７０Ｒ、１７０Ｌ、間隔／輻輳角検出回路１７２Ｒ、１７２Ｌ、間隔輻輳角駆動回路１７４、レンズ間隔輻輳角記憶回路１７６を備えているのに対して、第一実施形態のデジタルカメラは、そのような回路を備えていない点。
【０２１３】
第三に、本実施形態のデジタルカメラが、３Ｄ撮影用の測距を行うための構成（距離用発光素子１７８Ｒ、１７８Ｌ及び距離用撮像素子１８０Ｒ、１８０Ｌ、これらの駆動／制御回路１８２、ＡＤ１８４Ｒ、１８４Ｌ、距離情報処理回路１８６、及び、距離情報記憶回路１８８等）を備えているのに対して、第一実施形態のデジタルカメラは、そのような測距を行うための構成を備えていない点（ただし、変形例は備えている）。
【０２１４】
第四に、本実施形態のデジタルカメラが、高さ検出回路を備えていないのに対して、第一実施形態のデジタルカメラは、高さ検出回路３８を備えている点。
【０２１５】
他の構成については、第一実施形態と同一であるので、同一の符号を付して説明を省略する。
【０２１６】
次に、上記構成のデジタルカメラ１０の動作について図面を参照しながら説明する。
【０２１７】
本実施形態のデジタルカメラの動作は、図５と同様であるが、次の点が相違する。
【０２１８】
第一に、本実施形態のデジタルカメラは、高さ検出回路を備えていないので、図５に示したステップのうち、ステップＳ１４からＳ１８の処理を行わない点。すなわち、基準面からの距離に応じた撮像部を駆動する撮像手段Ｒ又はＬとして自動的に決定するのではなく、全ての撮像手段Ｒ及びＬを駆動し（ステップＳ１９）、全ての撮像手段Ｒ及びＬにより撮影が行われ、その全ての撮像手段Ｒ及びＬが撮影した画像（全ての撮像手段Ｒ及びＬが撮影した画像を合成した一つの画像であってもよい）を含むファイルが生成される点（ステップＳ２３）。この生成されたファイルは、所定フォルダに自動的に振り分けられて記録（保存）される。
【０２１９】
第二に、所定操作部１１２の操作により、撮像手段Ｒ及びＬ間の間隔、及び、撮像手段Ｒ及びＬの輻輳角を調整することが可能であり、この調整後の撮像手段Ｒ及びＬが撮影した画像（撮像手段Ｒ及びＬそれぞれ別個の画像でもよいし、合成した結果の一つの画像でもよい）を含むファイルが得られる（ステップＳ２３）点。これにより、縦方向の撮影画角を広げた画像を得ることが可能となる。また、縦方向に多視点の画像を得ることが可能となる。
【０２２０】
第三に、ステップＳ１１で縦撮りモードが検出された場合さらに、測距を停止する点。又は、距離データを保存しない点。測距を停止、あるいは、距離データを保存しないよう
にするには、例えば、３Ｄ撮影用の測距を行うための構成（距離用発光素子１７８Ｒ、１７８Ｌ及び距離用撮像素子１８０Ｒ、１８０Ｌ、これらの駆動／制御回路１８２、ＡＤ１８４Ｒ、１８４Ｌ、距離情報処理回路１８６、及び、距離情報記憶回路１８８等）の一部又は全部への電源供給を停止するように制御することが考えられる。これにより、消費電力の低減が可能となる。また、記録メディアの無駄な消費を防止できる。
【０２２１】
他のステップについては、図５と同様であるので説明を省略する。
【０２２２】
上記実施形態はあらゆる点で単なる例示にすぎない。これらの記載によって本発明は限定的に解釈されるものではない。本発明はその精神または主要な特徴から逸脱することなく他の様々な形で実施することができる。
【符号の説明】
【０２２３】
１０…複眼デジタルカメラ、Ｒ，Ｌ…撮像手段（撮像系）
【図１】
2011142661.tif 000003
【図２】
2011142661.tif 000004
【図３】
2011142661.tif 000005
【図４】
2011142661.tif 000006
【図５】
2011142661.tif 000007
【図６】
2011142661.tif 000008
【図７】
2011142661.tif 000009
【図８】
2011142661.tif 000010
【図９】
2011142661.tif 000011
【図１０】
2011142661.tif 000012
【図１１】
2011142661.tif 000013